(57)【特許請求の範囲】
【請求項１】
筐体の開口部と、
前記開口部を塞ぐ本体部を有するカバーと、
前記筐体の内部に配置され、熱媒体と室内空気とを熱交換する熱媒体熱交換器と、
前記熱媒体熱交換器に熱媒体を流通させる熱媒体流路の最上部に、空気だまり部及び前記空気だまり部の空気を排出する空気抜き弁を有する空気処理部と、
を備え、
前記空気抜き弁は、前記筐体の内部にて前記開口部の奥側投影方向に配置され、
前記カバーの１辺には、前記本体部から突出する１つの引っ掛け部が設けられ、
前記カバーの前記１辺に対向する対向部には、前記本体部が前記開口部を塞いだ状態で前記筐体に仮固定する仮固定爪が設けられる空気調和装置の室内機。
【請求項２】
前記引っ掛け部は、前記１辺の両端部にわたる幅を有する請求項１に記載の空気調和装置の室内機。
【請求項３】
前記カバーの前記本体部と前記仮固定爪との間には、前記筐体の表面に形成された凹部と嵌め合う位置決め片が設けられる請求項１又は２に記載の空気調和装置の室内機。
【請求項４】
前記位置決め片には、前記筐体に前記カバーを螺子で固定する螺子固定部が設けられる請求項３に記載の空気調和装置の室内機。
【請求項５】
前記仮固定爪には、前記本体部が前記開口部を塞いだ状態で前記筐体から露出して使用者に把持されるつまみと、前記つまみが使用者に操作されて変形した状態で前記仮固定爪を前記筐体から解放する変形部と、が設けられる請求項１〜４のいずれか１項に記載の空気調和装置の室内機。
【請求項６】
前記カバーの前記引っ掛け部を除く外周縁部には、前記本体部から突出した外周フランジ部が設けられる請求項１〜５のいずれか１項に記載の空気調和装置の室内機。
【請求項７】
前記カバーの前記引っ掛け部及び前記外周フランジ部のそれぞれには、前記開口部の内周縁部とシールされるシール部が設けられる請求項６に記載の空気調和装置の室内機。
【請求項８】
前記開口部の内周縁部には、前記筐体の表面よりも前記筐体の内部側に凹んだ内周フランジ部が設けられる請求項１〜７のいずれか１項に記載の空気調和装置の室内機。
【請求項９】
前記カバーの表面には、使用者が操作するための操作表示部が設けられる請求項１〜８のいずれか１項に記載の空気調和装置の室内機。
【請求項１０】
前記空気処理部の前記空気だまり部及び前記空気抜き弁は、１つの剛性ユニットである請求項１〜９のいずれか１項に記載の空気調和装置の室内機。
【請求項１１】
前記空気処理部は、前記筐体の内部の最上部に配置され、
前記開口部は、上縁部を前記筐体の天面の縁部に沿わせて、前記筐体の側面の上部に形成され、
前記カバーの前記引っ掛け部は、前記カバーにおける前記筐体の水平方向に対してどちらか一方の端部に設けられ、
前記カバーの前記仮固定爪は、前記カバーにおける前記筐体の水平方向に対してどちらか他方の端部に設けられる請求項１〜１０のいずれか１項に記載の空気調和装置の室内機。
【請求項１２】
請求項１〜１１のいずれか１項に記載の空気調和装置の室内機を備える空気調和装置。
【発明の詳細な説明】
【技術分野】
【０００１】
本発明は、筐体の開口部と、開口部を塞ぐカバーと、を備える空気調和装置の室内機及び空気調和装置に関する。
【背景技術】
【０００２】
従来、筐体の開口部及び開口部を塞ぐカバーは、開口部に引っ掛け部を２つ備えるとともに、カバーにこれら２つの引っ掛け部をそれぞれ引っ掛ける引っ掛け孔を２つ備えていた（たとえば、特許文献１参照）。
【先行技術文献】
【特許文献】
【０００３】
【特許文献１】国際公開第２０１３／１２９５２７号
【発明の概要】
【発明が解決しようとする課題】
【０００４】
特許文献１に記載の技術では、引っ掛け部及び引っ掛け孔が２つずつ存在することにより、２つの引っ掛け部に同時に２つの引っ掛け孔を引っ掛ける必要があった。このため、カバー取り付け作業が煩雑であった。【０００５】
特に、カバーに２つの引っ掛け孔が設けられたため、使用者が２つの引っ掛け部に同時に２つの引っ掛け孔を引っ掛けるときに、筐体側の２つの引っ掛け部がカバーによって隠れてしまい、使用者が引っ掛け部分を見難く、視認性が確保し難かった。【０００６】
本発明は、上記課題を解決するためのものであり、使用者の視認性良くカバー取り付け作業が容易に行える空気調和装置の室内機及び空気調和装置を提供することを目的とする。
【課題を解決するための手段】
【０００７】
本発明に係る空気調和装置の室内機は、筐体の開口部と、前記開口部を塞ぐ本体部を有するカバーと、前記筐体の内部に配置され、熱媒体と室内空気とを熱交換する熱媒体熱交換器と、前記熱媒体熱交換器に熱媒体を流通させる熱媒体流路の最上部に、空気だまり部及び前記空気だまり部の空気を排出する空気抜き弁を有する空気処理部と、を備え、前記空気抜き弁は、前記筐体の内部にて前記開口部の奥側投影方向に配置され、前記カバーの１辺には、前記本体部から突出する１つの引っ掛け部が設けられ、前記カバーの前記１辺に対向する対向部には、前記本体部が前記開口部を塞いだ状態で前記筐体に仮固定する仮固定爪が設けられるものである。【０００８】
本発明に係る空気調和装置は、上記の空気調和装置の室内機を備えるものである。
【発明の効果】
【０００９】
本発明に係る空気調和装置の室内機及び空気調和装置によれば、カバーの１辺には、本体部から突出する１つの引っ掛け部が設けられる。カバーの１辺に対向する対向部には、本体部が開口部を塞いだ状態で仮固定する仮固定爪が設けられる。これにより、カバーの１辺に設けられる１つの引っ掛け部が筐体の開口部の内周縁部に引っ掛かると、使用者の引っ掛け作業が完了し、カバー取り付け作業が容易に行える。ここで、カバーの１辺に１つだけの引っ掛け部が設けられるので、使用者が引っ掛け部分を見易く、視認性が確保できる。したがって、使用者の視認性良くカバー取り付け作業が容易に行える。
【図面の簡単な説明】
【００１０】
【図１】本発明の実施の形態１に係る空気調和装置を示す概略構成図である。
【図２】本発明の実施の形態１に係るグリルを外した状態の空気調和装置の室内機を示す斜視図である。
【図３】本発明の実施の形態１に係るカバーを外した状態の空気調和装置の室内機の一部を拡大して示す斜視図である。
【図４】本発明の実施の形態１に係る空気調和装置の室内機におけるカバーと空気抜き弁とを拡大して示す縦断面図である。
【図５】本発明の実施の形態１に係る空気調和装置の室内機における開口部と開口部の奥側投影方向に配置された空気抜き弁とを拡大して示す正面図である。
【図６】本発明の実施の形態１に係る空気調和装置の室内機における開口部と開口部内の空気抜き弁の操作範囲とを拡大して示す正面図である。
【図７】本発明の実施の形態１に係る空気調和装置の室内機における開口部と開口部を塞いだ状態のカバーとを拡大して示す横断面図である。
【図８】本発明の実施の形態１に係るカバーを正面から見て示す斜視図である。
【図９】本発明の実施の形態１に係る操作表示部を除いた状態のカバーを正面から見て示す斜視図である。
【図１０】本発明の実施の形態１に係るカバーを奥から見て示す斜視図である。
【図１１】本発明の実施の形態１に係る引っ掛け部のシール部を除いた状態のカバーを正面から見て示す斜視図である。
【図１２】本発明の実施の形態１に係る外周フランジ部のシール部を除いた状態のカバーを奥から見て示す斜視図である。
【図１３】本発明の実施の形態１に係るカバーの引っ掛け部を開口部の内周縁部に引っ掛ける動作を示す斜視図である。
【図１４】本発明の実施の形態１に係るカバーの仮固定爪を筐体に仮固定する動作を示す斜視図である。
【図１５】本発明の実施の形態１に係るカバーを筐体に螺子を用いて固定する動作を示す斜視図である。
【発明を実施するための形態】
【００１１】
以下、図面に基づいて本発明の実施の形態について説明する。なお、各図において、同一の符号を付したものは、同一の又はこれに相当するものであり、これは明細書の全文において共通している。さらに、明細書全文に示す構成要素の形態は、あくまで例示であってこれらの記載に限定されるものではない。
【００１２】
実施の形態１．
＜空気調和装置の構成＞
図１は、本発明の実施の形態１に係る空気調和装置１００を示す概略構成図である。図１に示す空気調和装置１００は、室外機１０１と、中継機１０２と、室内機１０３と、を備える。
【００１３】
室外機１０１及び中継機１０２は、冷媒回路１０４を構成する。冷媒回路１０４は、圧縮機１と、四方弁２と、室外熱交換器３と、膨張弁４と、伝熱熱交換器５と、を有する。
【００１４】
中継機１０２及び室内機１０３は、熱媒体回路としての水回路１０５を構成する。熱媒体は、水、ブラインなどの非可燃性のものが用いられる。ここでは、熱媒体として水を用いる。水回路１０５は、伝熱熱交換器５と、ポンプ６と、熱媒体熱交換器としての室内熱交換器７と、を有する。
【００１５】
室外機１０１は、圧縮機１と、四方弁２と、室外熱交換器３と、膨張弁４と、を有する。室外機１０１は、室外熱交換器３が外気と冷媒との熱交換を促進するための図示しないファンを有する。室外機１０１は、圧縮機１、四方弁２、膨張弁４、ファンなどを制御する図示しない制御部を有する。
【００１６】
圧縮機１は、吸入する冷媒を圧縮して吐出する。四方弁２は、冷房運転時と暖房運転時とによって冷媒の流れを切り換える。室外熱交換器３は、外気と冷媒との熱交換を行う。室外熱交換器３は、冷房運転時において凝縮器として機能し、冷媒を凝縮して液化させる。室外熱交換器３は、暖房運転時において蒸発器として機能し、冷媒を蒸発させて気化させる。膨張弁４は、冷媒の圧力を調節し、冷媒を膨張させる。室外機１０１の冷媒回路１０４は、冷熱、暖熱などの熱を保持した冷媒を中継機１０２に送出する。
【００１７】
中継機１０２は、伝熱熱交換器５と、ポンプ６と、を有する。伝熱熱交換器５は、冷媒回路１０４を流れる冷媒の冷熱、暖熱などの熱を、水回路１０５を流れる水に伝熱する。伝熱熱交換器５は、冷房運転時において蒸発器として機能し、冷媒を蒸発させて気化させる。伝熱熱交換器５は、暖房運転時において凝縮器として機能し、冷媒を凝縮して液化させる。また、ポンプ６は、水回路１０５を流れる水の流量を調節する。中継機１０２は、ポンプ６を制御する図示しない制御部を有する。
【００１８】
室内機１０３は、水と室内空気とを熱交換する室内熱交換器７を有する。室内機１０３は、室内熱交換器７が水と室内空気との熱交換を促進するための図示しないファンを有する。室内機１０３は、ファンなどを制御する図示しない制御部を有する。
【００１９】
なお、室外機１０１、中継機１０２及び室内機１０３のそれぞれに設けられた制御部は、まとめて１つになって、いずれかの装置に設けられてもよいし、いくつかに分割されて別々の装置に設けられてもよい。なお、制御部は、プログラムを記憶する記憶部と、プログラムに従って処理を実行するＣＰＵ（Ｃｅｎｔｒａｌ  Ｐｒｏｃｅｓｓｉｎｇ  Ｕｎｉｔ）と、を有する。
【００２０】
以上のように空気調和装置１００を構成することにより、室外機１０１の四方弁２により冷媒の流れを切り換えることにより、冷房運転及び暖房運転が実現できる。
【００２１】
＜空気調和装置１００の室内機１０３＞
図２は、本発明の実施の形態１に係るグリル１０を外した状態の空気調和装置１００の室内機１０３を示す斜視図である。図２に示す室内機１０３は、室内熱交換器７を筐体１１の内部に配置された壁掛け型室内機である。室内機１０３は、グリル１０とパネル１２とボックス１３とベーン１４とによって矩形形状である筐体１１の外郭が構成される。具体的には、グリル１０は、パネル１２の正面の側面に重ねられる。パネル１２は、筐体の基本的な矩形形状を構成する。ボックス１３は、筐体におけるパネル１２の奥側である背面を構成する。ベーン１４は、パネル１２の下部に取り付けられる。室内機１０３は、筐体１１の内部に室内熱交換器７とファンと制御部を搭載した電気品箱１５とを備える。
【００２２】
室内熱交換器７を有する水回路１０５の途中の配管には、空気だまり部２０及び空気抜き弁２１が設けられている。室内機１０３の筐体１１の正面の側面には、空気抜き弁２１を操作するために外部から筐体１１の内部に使用者が指を差し込めるようの開口部１６が形成されている。開口部１６は、カバー３０の引っ掛け部３１を引っ掛ける１辺１６ａの内周縁部を鉛直方向に真っ直ぐな四角形状に形成されている。筐体１１は、開口部１６を塞ぐ本体部３２を有するカバー３０を備える。カバー３０は、グリル１０とパネル１２との間に介在する。カバー３０は、螺子固定される。カバー３０は、螺子４０を外すと取り外せられる。
【００２３】
＜空気抜き弁２１周りの構成＞
図３は、本発明の実施の形態１に係るカバー３０を外した状態の空気調和装置１００の室内機１０３の一部を拡大して示す斜視図である。図４は、本発明の実施の形態１に係る空気調和装置１００の室内機１０３におけるカバー３０と空気抜き弁２１とを拡大して示す縦断面図である。図５は、本発明の実施の形態１に係る空気調和装置１００の室内機１０３における開口部１６と開口部１６の奥側投影方向に配置された空気抜き弁２１とを拡大して示す正面図である。図６は、本発明の実施の形態１に係る空気調和装置１００の室内機１０３における開口部１６と開口部１６内の空気抜き弁２１の操作範囲Ａとを拡大して示す正面図である。
【００２４】
図３、図４に示すように、室内機１０３は、室内熱交換器７に水を流通させる熱媒体流路としての室内機１０３に形成された水回路１０５の最上部に、空気だまり部２０及び空気抜き弁２１を有する空気処理部２２を備える。空気処理部２２は、筐体１１の内部の最上部に配置されている。
【００２５】
空気抜き弁２１は、水回路１０５に水を充填するときに空気だまり部２０に溜まった空気を排出する。空気抜き弁２１は、開弁されることにより、空気だまり部２０と空気ホース２３とを疎通させ、空気を充填されていく水とともに空気ホース２３から室内機１０３の図示しないドレンパン上に排出する。
【００２６】
図４に示すように、空気処理部２２の空気だまり部２０及び空気抜き弁２１は、使用者が安定して操作し易いように、１つの剛性ユニット２４で構成される。剛性ユニット２４としては、たとえば、１つの金属製ユニット、互いが接合された金属製ユニットなどであるとよい。空気抜き弁２１は、使用者が指を差し込んで操作し易いように、開口部１６から使用者の指が届く距離に配置されている。
【００２７】
図５に示すように、空気抜き弁２１は、筐体１１の内部にて開口部１６の奥側投影方向に配置されている。このため、使用者は、空気抜き弁２１が室内機１０３の正面側から開口部１６の奥に存在することを視認できる。
【００２８】
図５に示すように、開口部１６は、上縁部１６ｂを筐体１１の天面の縁部１７に水平方向に沿わせて、筐体１１の側面の上部に形成されている。開口部１６は、カバー３０の本体部３２に合わせて四角形状に形成されている。図４に示すように、開口部１６の内周縁部には、筐体１１の表面よりも奥側に凹んだ内周フランジ部１８が設けられる。
【００２９】
筐体１１は、開口部１６の右側に、カバー３０の位置決め片３３と嵌め合う凹部１９を有する。凹部１９には、カバー３０を螺子固定する螺子４０を挿入する螺子孔１９ａが形成されている。筐体１１は、凹部１９の右側に、カバー３０の仮固定爪３４を差し込む孔部２５を有する。孔部２５の右隣には、カバー３０のつまみ３４ａを操作する操作凹部２６が形成されている。
【００３０】
開口部１６、凹部１９及び孔部２５は、水平方向に並列に配置されている。開口部１６、凹部１９及び孔部２５の位置は、筐体１１の内部における室内熱交換器７と電気品箱１５とを正面側に投影した部分の間に設けられている。開口部１６と孔部２５とは、開口部１６を塞ぐカバー３０の左右両端部に相当して離間している。
【００３１】
図６に示すように、開口部１６の奥側には、空気抜き弁２１が奥側投影方向の中央に配置されている。開口部１６の奥側には、空気抜き弁２１を中心とした円形状に使用者の指が差し込める操作範囲Ａの空間が形成される。
【００３２】
＜カバー３０の構成＞
図７は、本発明の実施の形態１に係る空気調和装置１００の室内機１０３における開口部１６と開口部１６を塞いだ状態のカバー３０とを拡大して示す横断面図である。図８は、本発明の実施の形態１に係るカバー３０を正面から見て示す斜視図である。図９は、本発明の実施の形態１に係る操作表示部３６を除いた状態のカバー３０を正面から見て示す斜視図である。図１０は、本発明の実施の形態１に係るカバー３０を奥から見て示す斜視図である。図１１は、本発明の実施の形態１に係る引っ掛け部３１のシール部３７ａを除いた状態のカバー３０を正面から見て示す斜視図である。図１２は、本発明の実施の形態１に係る外周フランジ部３８のシール部３７ｂを除いた状態のカバー３０を奥から見て示す斜視図である。
【００３３】
図７〜図１１に示すように、カバー３０は、開口部１６を塞ぐ本体部３２を有する。本体部３２は、四角形状の開口部１６の内周縁部に沿った外周縁部を有する四角形状である。
【００３４】
カバー３０におけるカバー３０の正面から見て左側の１辺１６ａには、本体部３２から突出する１つの引っ掛け部３１が設けられる。カバー３０の引っ掛け部３１は、カバー３０における筐体１１の水平方向に対して正面から見て左側の端部に設けられる。引っ掛け部３１は、左側の１辺１６ａの上下方向の両端部にわたる幅を有する。
【００３５】
カバー３０の１辺１６ａに対向する対向部には、本体部３２が開口部１６を塞いだ状態で筐体１１に仮固定する仮固定爪３４が設けられる。カバー３０の仮固定爪３４は、カバー３０における筐体１１の水平方向に対して正面から見て右側の端部に設けられる。
【００３６】
なお、カバー３０の引っ掛け部３１と仮固定爪３４とは、カバー３０における筐体１１の水平方向に対して対向するようにどちらかの端部に設けられるとよい。
【００３７】
仮固定爪３４には、つまみ３４ａと、変形部３４ｂと、かえし３４ｃと、が設けられている。
【００３８】
つまみ３４ａは、本体部３２が開口部１６を塞いだ状態で筐体１１から露出して使用者に把持される。
【００３９】
変形部３４ｂは、つまみ２４ａが使用者に操作されて変形した状態で仮固定爪３４を筐体１１から解放する。ここで、変形部３４ｂは、横断面形状をＵ字状に形成されている。使用者がつまみ３４ａを左側にずらすと、Ｕ字状の変形部３４ｂが圧縮され、仮固定爪３４が孔部２５から抜けられる。なお、変形部３４ｂは、横断面形状をＵ字状に形成され、圧縮されても弾性反発可能に設けられている。しかし、これに限られない。変形部３４ｂは、ゴム、樹脂などによって圧縮されても弾性反発可能に設けられればよい。
【００４０】
かえし３４ｃは、Ｕ字状に形成された変形部３４ｂの左部分の外側に設けられている。かえし３４ｃは、孔部２５の内周縁部２５ａに引っ掛かり、カバー３０の仮固定時に仮固定爪３４が孔部２５から自然に抜け出ることを防止する。
【００４１】
カバー３０の本体部３２と仮固定爪３４との間には、筐体１１の表面に形成された凹部１９と嵌め合う位置決め片３３が設けられる。位置決め片３３は、本体部３２よりも小さく形成される。位置決め片３３は、凹部１９と隙間なく嵌め合う。これに対し、本体部３２は、着脱し易いように開口部１６に対して遊びを有する。位置決め片３３には、筐体１１にカバー３０を螺子４０で固定する螺子固定部３３ａが設けられる。螺子固定部３３ａは、螺子止めできるように筐体１１の凹部１９に形成される螺子孔１９ａと一直線上に配置できる孔である。なお、位置決め片３３は、筐体１１の表面に形成された凹部１９と嵌め合う形状であればよく、種々の形状を採用できる。
【００４２】
カバー３０の引っ掛け部３１を除く外周縁部には、外周フランジ部３８が設けられている。外周フランジ部３８は、本体部３２から筐体１１における奥側に一段奥まってカバー３０の外側に突出する。
【００４３】
図９と図１１とを対比して示すように、カバー３０の引っ掛け部３１の正面側には、開口部１６の内周縁部とシールされるシール部３７ａが設けられている。シール部３７ａは、引っ掛け部３１の全体に貼り付けられている。カバー３０の引っ掛け部３１のシール部３７ａは、上下の２つの端部を引っ掛け部３１からはみ出して設けられている。
【００４４】
図１０と図１２とを対比して示すように、カバー３０の外周フランジ部３８の奥側である背面側には、開口部１６の内周縁部とシールされるシール部３７ｂが設けられている。シール部３７ｂは、外周フランジ部３８の全体にわたって貼り付けられている。
【００４５】
図１０に示すように、カバー３０の外周フランジ部３８のシール部３７ｂは、カバー３０の引っ掛け部３１側の２つの端部を外周フランジ部３８からはみ出して設けられている。はみ出した外周フランジ部３８のシール部３７ｂの２つの端部は、引っ掛け部３１のシール部３７ａのはみ出し部分に貼り付けられ、上側に重ねられている。シール部３７ａ、３７ｂのはみ出した一部及び２つのシール部３７ａ、３７ｂの重ねられた重なり部３７ｃは、引っ掛け部３１の上下の両端部からそれぞれ上下方向にはみ出し、かつ、外周フランジ部３８の最上部及び最下部からはみ出さずに外周フランジ部３８の高さ範囲に収まっている。それぞれの重なり部３７ｃは、引っ掛け部３１の左右の幅範囲に収まっている。それぞれの重なり部３７ｃは、引っ掛け部３１のシール部３７ａの位置よりも外周フランジ部３８のシール部３７ｂ側、つまり、カバー３０における奥側に引っ込んでいる。
【００４６】
カバー３０にシール部３７ａ、３７ｂが貼り付けられるので、カバー３０と筐体１１のパネル１２との隙間を埋められる。これにより、室内機１０３のフィルターを通らない隙間を通ろうとする空気の流れが防がれる。また、隙間を空気が通ることによりカバー３０の周りに発生する汚れが防がれる。また、シール部３７ａ、３７ｂにおける２つの重なり部３７ｃが引っ掛け部３１のシール部３７ａの位置よりもカバー３０の奥側に位置するので、引っ掛け部３１のシール部３７ａが剥がれ難い。
【００４７】
カバー３０にシール部３７ａ、３７ｂを貼り付ける場合には、製造者は、まず、カバー３０の引っ掛け部３１のシール部３７ａから貼り付ける。次に、製造者は、カバー３０の引っ掛け部３１を除く全周に備える外周フランジ部３８にシール部３７ｂを貼り付ける。
【００４８】
図８に示すように、カバー３０の表面には、使用者が操作するための操作表示部３６が設けられている。操作表示部３６には、空気抜き弁２１のバルブ操作の手順などが表示されている。
【００４９】
＜カバー３０の取り付け動作＞
図１３は、本発明の実施の形態１に係るカバー３０の引っ掛け部３１を開口部１６の内周縁部に引っ掛ける動作を示す斜視図である。図１４は、本発明の実施の形態１に係るカバー３０の仮固定爪３４を筐体１１に仮固定する動作を示す斜視図である。図１５は、本発明の実施の形態１に係るカバー３０を筐体１１に螺子４０を用いて固定する動作を示す斜視図である。
【００５０】
図１３に示すように、カバー３０を開口部１６に取り付ける場合には、まず、使用者は、カバー３０の引っ掛け部３１を開口部１６に引っ掛ける。使用者は、当初カバー３０の本体部３２などを把持して開口部１６の形成された筐体１１の側面に対して垂直に立て、カバー３０を図示矢印Ｓ１方向に差し込み、引っ掛け部３１を開口部１６内に挿入する。このように、引っ掛け部３１を開口部１６内に挿入する際に、カバー３０が筐体１１の側面に対して垂直に立てられた状態で差し込めるので、引っ掛け部分の視認性が良い。
【００５１】
図１４に示すように、使用者は、カバー３０を、開口部１６の内周縁部に引っ掛かった引っ掛け部３１側を軸に、開口部１６を閉じるように図示矢印Ｓ２方向に回動させる。そして、使用者は、カバー３０の仮固定爪３４を筐体１１の孔部２５に差し込み、カバー３０を仮固定する。このとき、位置決め片３３が筐体１１の凹部１９に完全に一致して嵌め合わせられる。
【００５２】
図１５に示すように、使用者は、カバー３０が筐体１１に仮固定された状態で、螺子４０をカバー３０の螺子固定部３３ａの孔及び筐体１１の螺子孔１９ａに図示矢印Ｓ３方向にねじ込み、カバー３０を固定する。
【００５３】
＜カバー３０の取り外し動作＞
カバー３０の取り外しの場合には、まず、使用者は、カバー３０を固定した螺子４０を取り外す。次に、使用者は、筐体１１の操作凹部２６に指を挿入し、つまみ２４ａを位置決め片３３側である左側に押し、変形部３４ｂを変形させ、かえし３４ｃの引っ掛かりを解除する。そして、使用者は、つまみ３４ａを操作凹部２６から引き上げ、カバー３０の仮固定爪３４を孔部２５から外す。後の作業は、カバー３０の取り付けと逆の手順で行う。
【００５４】
＜実施の形態１の効果＞
実施の形態１によれば、空気調和装置１００の室内機１０３は、筐体１１の開口部１６を備える。室内機１０３は、開口部１６を塞ぐ本体部３２を有するカバー３０を備える。室内機１０３は、筐体１１の内部に配置され、熱媒体としての水と室内空気とを熱交換する熱媒体熱交換器としての室内熱交換器７を備える。室内機１０３は、室内熱交換器７に水を流通させる水回路１０５の最上部に、空気だまり部２０及び空気だまり部２０の空気を排出する空気抜き弁２１を有する空気処理部２２を備える。空気抜き弁２１は、筐体１１の内部にて開口部１６の奥側投影方向に配置される。カバー３０の１辺１６ａには、本体部３２から突出する１つの引っ掛け部３１が設けられる。カバー３０の１辺１６ａに対向する対向部には、本体部３２が開口部１６を塞いだ状態で筐体１１に仮固定する仮固定爪３４が設けられる。
【００５５】
この構成によれば、カバー３０の１辺１６ａに設けられる１つの引っ掛け部３１が筐体１１の開口部１６の内周縁部に引っ掛かると、使用者の引っ掛け作業が完了し、カバー３０の取り付け作業が容易に行える。ここで、カバー３０の１辺１６ａに１つだけの引っ掛け部３１が設けられるので、使用者が引っ掛け部分を見易く、視認性が確保できる。したがって、使用者の視認性良くカバー３０の取り付け作業が容易に行える。
【００５６】
また、使用者は、据付時、メンテナンス時などに、筐体１１の内部における配管、配線などが接続されて開口部１６が開口する筐体１１のパネル１２を取り付けた状態で、空気抜き弁２１に作業アクセスし易い。
【００５７】
さらに、カバー３０が筐体１１のパネル１２に仮固定できるので、据付時、メンテナンス時などにカバー３０を常時支えておく必要がなく、螺子４０の取り付け作業あるいは取り外し作業が良く、作業性が向上できる。
【００５８】
実施の形態１によれば、引っ掛け部３１は、１辺１６ａの両端部にわたる幅を有する。
【００５９】
この構成によれば、カバー３０の１辺１６ａに設けられる１つの引っ掛け部３１が筐体１１の開口部１６の内周縁部に引っ掛かると、カバー３０がぐらつかず安定する。したがって、仮固定前にカバー３０を閉じるまで回動させるカバー３０の取り付け作業が容易に行える。なお、実施の形態１では、シール部３７ａ、３７ｂの重なり部３７ｃが引っ掛け部３１の上下それぞれにはみ出すので、シール部３７ａ、３７ｂの重なり部３７ｃも開口部１６に干渉しないように引っ掛け部３１が開口部１６の１辺１６ａの両端よりも少し短い幅であるとよい。
【００６０】
実施の形態１によれば、カバー３０の本体部３２と仮固定爪３４との間には、筐体１１の表面に形成された凹部１９と嵌め合う位置決め片３３が設けられる。
【００６１】
この構成によれば、１つの引っ掛け部３１が開口部１６の内周縁部に引っ掛かり、仮固定爪３４が本体部３２で開口部１６を塞いだ状態でカバー３０を仮固定すると、位置決め片３３が筐体１１の表面に形成された凹部１９と嵌め合う。これにより、カバー３０は、開口部１６に規定通り仮固定できる。したがって、仮固定までのカバー取り付け作業が容易に行える。
【００６２】
実施の形態１によれば、位置決め片３３には、筐体１１にカバー３０を螺子４０で固定する螺子固定部３３ａが設けられる。
【００６３】
この構成によれば、位置決め片３３が筐体１１の凹部１９と嵌め合い、カバー３０が開口部１６に規定通り仮固定された後に、螺子固定部３３ａと螺子孔１９ａとが重なり合い、使用者が螺子固定部３３ａに螺子４０を用いてカバー３０を本固定できる。したがって、本固定までのカバー３０の取り付け作業が容易に行える。
【００６４】
実施の形態１によれば、仮固定爪３４には、本体部３２が開口部１６を塞いだ状態で筐体１１から露出して使用者に把持されるつまみ３４ａが設けられる。仮固定爪３４には、つまみ３４ａが使用者に操作されて変形した状態で仮固定爪３４を筐体１１から解放する変形部３４ｂが設けられる。
【００６５】
この構成によれば、仮固定爪３４を仮固定する筐体１１の表面には、仮固定爪３４が内周縁部に引っ掛かる孔部２５を形成すればよく、製造工程が簡略化できる。
【００６６】
実施の形態１によれば、カバー３０の引っ掛け部３１を除く外周縁部には、本体部３２から突出した外周フランジ部３８が設けられる。
【００６７】
この構成によれば、１つの引っ掛け部３１が開口部１６の内周縁部に引っ掛かり、仮固定爪３４が本体部３２で開口部１６を塞いだ状態でカバー３０を仮固定すると、外周フランジ部３８が筐体１１の開口部１６の周りにて開口部１６を囲う。これにより、カバー３０は、開口部１６を塞ぎ易くなる。
【００６８】
実施の形態１によれば、カバー３０の引っ掛け部３１及び外周フランジ部３８のそれぞれには、開口部１６の内周縁部とシールされるシール部３７ａ、３７ｂが設けられる。
【００６９】
この構成によれば、カバー３０と開口部１６との間に形成される隙間がそれぞれのシール部３７ａ、３７ｂによってシールされる。これにより、カバー３０と開口部１６との間から筐体１１の内部を流通する空気の漏れが防止できる。また、これらのシール部３７ａ、３７ｂがカバー３０の周りでの汚れを防止できる。
【００７０】
実施の形態１によれば、開口部１６の内周縁部には、筐体１１の表面よりも筐体１１の内部側に凹んだ内周フランジ部１８が設けられる。
【００７１】
この構成によれば、開口部１６の内周縁部が鋭く尖らず、使用者が開口部１６に指を入れたときのけがが防止できる。
【００７２】
実施の形態１によれば、カバー３０の表面には、使用者が操作するための操作表示部３６が設けられる。
【００７３】
この構成によれば、据付時、メンテナンス時などに、操作表示部３６が使用者の目に付き易く、使用者への認知性が向上できる。
【００７４】
実施の形態１によれば、空気処理部２２の空気だまり部２０及び空気抜き弁２１は、１つの剛性ユニット２４である。
【００７５】
この構成によれば、空気処理部２２がひとまとまりとなって扱い易く組立され易い。また、筐体１１の内部にて空気抜き弁２１が空気流れの上流側の空気だまり部２０を含む剛性ユニット２４とともに完全に固定されているので、操作時の空気抜き弁２１がぐらぐら揺れず、使用者が空気抜き弁２１を操作し易い。さらに、空気抜き弁２１の位置が高くでき、空気抜きの効率が良い。
【００７６】
実施の形態１によれば、空気処理部２２は、筐体１１の内部の最上部に配置される。開口部１６は、上縁部１６ｂを筐体１１の天面の縁部１７に沿わせて、筐体１１の側面の上部に形成される。カバー３０の引っ掛け部３１は、カバー３０における筐体１１の水平方向に対してどちらか一方の端部に設けられる。カバー３０の仮固定爪３４は、カバー３０における筐体１１の水平方向に対してどちらか他方の端部に設けられる。なお、開口部１６は、筐体１１の側面のほか、筐体１１の天面、底面、背面などどのような箇所に設けられていてもよい。
【００７７】
この構成によれば、カバー３０の引っ掛け部３１と仮固定爪３４とを双方が反対となるように設ける必要がある。ここで、空気だまり部２０が筐体１１の内部にて熱媒体流路である水回路１０５から空気を抜くために水回路１０５の最上部に配置されるときに、室内機１０３がコンパクトに構成されると、空気処理部２２が筐体１１の内部の最上部に必然的に配置される。その場合には、開口部１６は、上縁部１６ｂを筐体の天面の縁部１７に沿わせて、筐体１１の側面の上部に形成される。このとき、仮に、カバーの引っ掛け部が筐体の下側に対して設けられ、カバーの仮固定爪が筐体の上側に対して設けられると、仮固定爪のための配置スペースが無くなる。また、仮に、カバーの引っ掛け部が筐体の上側に対して設けられ、カバーの仮固定爪が筐体の下側に対して設けられると、仮固定爪が筐体の内部に配置される他部品と干渉し、仮固定爪のための配置スペースが無くなる。したがって、カバー３０の引っ掛け部３１がカバー３０における筐体１１の水平方向に対してどちらか一方の端部に設けられ、カバー３０の仮固定爪３４がカバー３０における筐体１１の水平方向に対してどちらか他方の端部に設けられる。その結果、室内機１０３の配置スペースの無駄が無い。
【００７８】
また、カバー３０の引っ掛け部３１がカバー３０における筐体１１の水平方向に対してどちらか一方の端部に設けられると、引っ掛け部３１が開口部１６の横内周縁部に引っ掛かれば良い。このとき、引っ掛け部３１が１辺１６ａの両端部にわたる幅を有すると、カバー３０の引っ掛け部３１の下端が開口部１６の下内周縁部に保持される。実施の形態１のようにシール部３７ａ、３７ｂの重なり部３７ｃがはみ出す場合には、重なり部３７ｃが開口部１６の下内周縁部に保持される。そのため、使用者が作業中に誤ってカバー３０を落下させない。したがって、使用者の視認性良くカバー３０の取り付け作業が容易に行える。
【００７９】
実施の形態１によれば、空気調和装置１００は、空気調和装置１００の室内機１０３を備える。
【００８０】
この構成によれば、空気調和装置１００の室内機１０３では、カバー３０の１辺１６ａに設けられる１か所の引っ掛け部３１が筐体１１の開口部１６の内周縁部に引っ掛かると、使用者の引っ掛け作業が完了し、カバー３０の取り付け作業が容易に行える。ここで、カバー３０の１辺１６ａに１か所だけの引っ掛け部３１が設けられるので、使用者が引っ掛け部分を見易く、視認性が確保できる。したがって、使用者の視認性良くカバー３０の取り付け作業が容易に行える。
【００８１】
＜その他＞
なお、上記実施の形態では、壁掛け型の室内機について説明した。しかし、これに限られない。本発明の空気調和装置の室内機は、床置き型、天井埋込型などにも適用できる。
【符号の説明】
【００８２】
１  圧縮機、２  四方弁、３  室外熱交換器、４  膨張弁、５  伝熱熱交換器、６  ポンプ、７  室内熱交換器、１０  グリル、１１  筐体、１２  パネル、１３  ボックス、１４  ベーン、１５  電気品箱、１６  開口部、１６ａ  １辺、１６ｂ  上縁部、１７  縁部、１８  内周フランジ部、１９  凹部、１９ａ  螺子孔、２０  空気だまり部、２１  空気抜き弁、２２  空気処理部、２３  空気ホース、２４  剛性ユニット、２５  孔部、２５ａ  内周縁部、２６  操作凹部、３０  カバー、３１  引っ掛け部、３２  本体部、３３  位置決め片、３３ａ  螺子固定部、３４  仮固定爪、３４ａ  つまみ、３４ｂ  変形部、３４ｃ  かえし、３６  操作表示部、３７ａ  シール部、３７ｂ  シール部、３７ｃ  重なり部、３８  外周フランジ部、４０  螺子、１００  空気調和装置、１０１  室外機、１０２  中継機、１０３  室内機、１０４  冷媒回路、１０５  水回路。
【図１】
0006732139.tif 000002
【図２】
0006732139.tif 000003
【図３】
0006732139.tif 000004
【図４】
0006732139.tif 000005
【図５】
0006732139.tif 000006
【図６】
0006732139.tif 000007
【図７】
0006732139.tif 000008
【図８】
0006732139.tif 000009
【図９】
0006732139.tif 000010
【図１０】
0006732139.tif 000011
【図１１】
0006732139.tif 000012
【図１２】
0006732139.tif 000013
【図１３】
0006732139.tif 000014
【図１４】
0006732139.tif 000015
【図１５】
0006732139.tif 000016